(57)【要約】【課題】拡大表示された画像の中心位置を、ユーザが所望する位置に変位させる。【解決手段】電子カメラは、被写体像を撮像して被写体画像データを生成する撮像手段２０と、被写体画像データと、被写体画像データに関連する付加情報とを互いに関連付けて記録媒体に記録する記録制御手段２００と、記録媒体から被写体画像データを読み出し、被写体画像データに基づく表示用画像を表示する表示手段２０５と、付加情報に基づいて、その表示用画像内の複数の所定位置の中から一つを選択する選択手段２００と、選択された一つの所定位置を中心として、表示用画像の一部を拡大表示する拡大表示手段２００と、拡大表示された表示用画像の中心を変位させる表示中心変位手段２００とを備える。【選択図】図３
2010056622.tif 000002
【特許請求の範囲】
【請求項１】
被写体像を撮像して被写体画像データを生成する撮像手段と、
前記被写体画像データと、当該被写体画像データに関連する付加情報とを互いに関連付けて記録媒体に記録する記録制御手段と、
前記記録媒体から前記被写体画像データを読み出し、前記被写体画像データに基づく表示用画像を表示する表示手段と、
前記付加情報に基づいて、その表示用画像内の複数の所定位置の中から一つを選択する選択手段と、
前記選択された一つの所定位置を中心として、前記表示用画像の一部を拡大表示する拡大表示手段と、
前記拡大表示された表示用画像の中心を変位させる表示中心変位手段とを備えることを特徴とする電子カメラ。
【請求項２】
請求項１に記載の電子カメラにおいて、
前記付加情報は、前記表示用画像内の人物の顔の位置を示す顔位置情報、前記表示用画像内において前記被写体像を撮像したときに焦点調節が行われた位置を示す合焦位置情報、および前記表示用画像の中心を示す表示中心情報の少なくとも一つを含むことを特徴とする電子カメラ。
【請求項３】
請求項１または２に記載の電子カメラにおいて、
前記選択手段は、所定の順序に従って、前記複数の所定位置の中から一つを選択することを特徴とする電子カメラ。
【請求項４】
請求項１乃至３のいずれか一項に記載の電子カメラにおいて、
前記拡大表示手段は、前記拡大表示された前記表示用画像を縮小表示する縮小表示部を含むことを特徴とする電子カメラ。
【請求項５】
請求項１乃至４のいずれか一項に記載の電子カメラにおいて、
前記拡大表示された前記表示用画像に重畳して、前記表示用画像の全範囲を所定の大きさで縮小表示する重畳表示手段と、
前記縮小表示された前記表示用画像の全範囲内における、前記複数の所定位置と対応する位置に指標を表示する指標表示手段とをさらに備えることを特徴とする電子カメラ。
【請求項６】
請求項５に記載の電子カメラにおいて、
前記指標表示手段は、前記選択手段により選択された前記所定位置に対応する前記指標と、前記選択手段により選択されていない前記所定位置に対応する前記指標との表示形態を異ならせることを特徴とする電子カメラ。
【発明の詳細な説明】
【技術分野】
【０００１】
本発明は、画像を拡大表示できる電子カメラに関する。
【背景技術】
【０００２】
従来から、再生画像に含まれる人物の顔位置を中心として拡大表示するカメラが知られている（たとえば、特許文献１）。
【特許文献１】特開２００７−２００２９号公報
【発明の開示】
【発明が解決しようとする課題】
【０００３】
しかしながら、拡大表示された画像の中心を、ユーザが所望する位置に変位できないという問題がある。
【課題を解決するための手段】
【０００４】
請求項１に記載の発明による電子カメラは、被写体像を撮像して被写体画像データを生成する撮像手段と、被写体画像データと、被写体画像データに関連する付加情報とを互いに関連付けて記録媒体に記録する記録制御手段と、記録媒体から被写体画像データを読み出し、被写体画像データに基づく表示用画像を表示する表示手段と、付加情報に基づいて、その表示用画像内の複数の所定位置の中から一つを選択する選択手段と、選択された一つの所定位置を中心として、表示用画像の一部を拡大表示する拡大表示手段と、拡大表示された表示用画像の中心を変位させる表示中心変位手段とを備えることを特徴とする。
請求項２に記載の発明は、請求項１に記載の電子カメラにおいて、付加情報は、表示用画像内の人物の顔の位置を示す顔位置情報、表示用画像内において被写体像を撮像したときに焦点調節が行われた位置を示す合焦位置情報、および表示用画像の中心を示す表示中心情報の少なくとも一つを含むことを特徴とする。
請求項３に記載の発明は、請求項１または２に記載の電子カメラにおいて、選択手段は、所定の順序に従って、複数の所定位置の中から一つを選択することを特徴とする。
請求項４に記載の発明は、請求項１乃至３のいずれか一項に記載の電子カメラにおいて、拡大表示手段は、拡大表示された表示用画像を縮小表示する縮小表示部を含むことを特徴とする。
請求項５に記載の発明は、請求項１乃至４のいずれか一項に記載の電子カメラにおいて、拡大表示された表示用画像に重畳して、表示用画像の全範囲を所定の大きさで縮小表示する重畳表示手段と、縮小表示された表示用画像の全範囲内における、複数の所定位置と対応する位置に指標を表示する指標表示手段とをさらに備えることを特徴とする。
請求項６に記載の発明は、請求項５に記載の電子カメラにおいて、指標表示手段は、選択手段により選択された所定位置に対応する指標と、選択手段により選択されていない所定位置に対応する指標との表示形態を異ならせることを特徴とする。
【発明の効果】
【０００５】
本発明によれば、複数の所定位置の中から選択された一つを中心として、表示用画像を拡大表示するとともに、拡大表示された表示用画像の中心を変位させることができる。
【発明を実施するための最良の形態】
【０００６】
本発明によるカメラの一実施の形態を図１〜図７を参照して説明する。電子カメラ１の正面図である図１（ａ）および背面図である図１（ｂ）に示すように、カメラボディ１０は、液晶モニタ２０５、再生ボタン１００、メニューボタン１０１、縮小ボタン１０２、拡大ボタン１０３、サブコマンドダイヤル１０４、コマンドダイヤル１０５、操作部材１０６、ＯＫボタン１０７、プロテクトボタン１０８および削除ボタン１０９を備える。
【０００７】
図２は、実施の形態による電子カメラ１の要部構成を説明する図である。カメラボディ１０には、撮影レンズ１２０を備えるレンズ鏡筒１１０が交換可能に装着されている。レンズ鏡筒１１０内には、レンズ群１２０ａ〜１２０ｃから成る撮影レンズ１２０、絞り１４０が設けられている。カメラボディ１０には、撮像素子２０、ペンタプリズム３０、測光センサ４０、接眼レンズ５０、焦点検出用センサ６０、クイックリターンミラー７０およびフォーカシングスクリーン９０が設けられている。
【０００８】
図３は電子カメラ１の制御系のブロック図である。図３において、図２に示した構成要素には同一の符号を付して説明する。電子カメラ１の制御系は、撮像素子２０、測光センサ４０、焦点検出用センサ６０、制御回路２００、Ａ／Ｄ変換回路２０１、画像処理回路２０２、Ａ／Ｄ変換回路２０３、圧縮／伸張回路２０４、液晶モニタ２０５、バッファメモリ２０６、記録媒体２０７を備えている。
【０００９】
図２を参照して説明すると、撮影レンズ１２０を通過して電子カメラ１に入射した被写体光は、シャッタレリーズ前は図２において実線で示すように位置するクイックリターンミラー７０で上方へ導かれてフォーカシングスクリーン９０に結像する。フォーカシングスクリーン９０上に結像された被写体像は、ペンタプリズム３０により接眼レンズ５０に導かれて撮影者に観察されるとともに、測光センサ４０にも導かれ、測光センサ４０の受光面に被写体像が再結像される。被写体光の一部はクイックリターンミラー７０の半透過領域を透過し、サブミラー７０ａにて下方に反射され、焦点検出用センサ６０へ入射される。
【００１０】
撮影の際（レリーズ後）には、クイックリターンミラー７０が被写体光の光路上から光路外（図２の破線部）へと移動し、被写体光が撮像素子２０へ導かれ、撮像素子２０上に被写体像が結像する。撮像素子２０は、受光した被写体光をその強度に応じた画像信号に変換するＣＣＤやＣＭＯＳなどの光電変換素子である。
【００１１】
図３を参照して制御系について詳細に説明する。
撮像素子２０は、制御回路２００が出力するタイミング信号に応じて、撮像面に結像された被写体像に対応する信号電荷の蓄積および蓄積電荷の掃き出しを行い、アナログ画像信号を出力する。Ａ／Ｄ変換回路２０１は、撮像素子２０から出力されたアナログ画像信号をデジタル画像信号に変換して、画像処理回路２０２へ出力する。画像処理回路２０２では、入力されたデジタル画像信号に対して、ホワイトバランス調整、シャープネス調整、ガンマ補正、階調調整などの画像処理が施され、被写体像が撮像された画像データ（被写体画像データ）として制御回路２００へ出力される。
【００１２】
測光センサ４０は、撮像面に結像された被写体像に対応する信号電荷の蓄積および蓄積電荷の掃き出しを行い、アナログ画像信号（測光信号）を出力する。Ａ／Ｄ変換回路２０３は、測光センサ４０により得られて出力されたアナログ測光信号は、Ａ／Ｄ変換回路２０３によりデジタル測光信号に変換されて制御回路２００へ出力される。
【００１３】
焦点検出用センサ６０は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。ＣＣＤラインセンサから出力される焦点検出信号は制御回路２００に入力される。
【００１４】
制御回路２００はＣＰＵ、ＲＯＭ、ＲＡＭおよび各種周辺回路から構成され、電子カメラの制御を行なうマイクロコンピュータである。制御回路２００は、前述した焦点検出用センサ６０から出力された焦点検出信号に基づいて、デフォーカス量などの焦点調節状態の演算を行う。さらに、制御回路２００は、入力された測光信号に基づいて算出された被写体の輝度および撮像感度（ＩＳＯ感度）に基づいてシャッタスピードと絞り値を演算する。制御回路２００は、画像処理回路２０２から入力された画像データから、公知の顔検出処理を用いて、撮像した被写体像から顔領域を抽出する。また、画像処理回路２０２から制御回路２００へ入力された画像データは、圧縮／伸張回路２０４に送出されＪＰＥＧ形式などの方式により圧縮される。そして、制御回路２００は、合焦位置情報、顔位置情報および表示中心情報を含む画像データに関連する情報を、たとえばＥＸＩＦ形式等の付加情報として上記の画像データに付加して、画像ファイルとしてバッファメモリ２０６または記録媒体２０７に記録する。なお、顔位置情報は抽出された顔領域の中心座標（顔位置座標）、合焦位置情報は焦点調節を行った位置を示す座標（合焦位置座標）、表示中心情報は液晶モニタ２０５に表示する表示用画像の表示中心の位置を示す座標（中心座標）である。
【００１５】
制御回路２００は、再生ボタン１００に対応する再生スイッチ１００ａからの操作信号を入力すると、電子カメラの動作モードを、たとえば再生モードと撮影モードとの間で切り換える。再生モードには、１画像再生モード、拡大再生モード等がある。後述するように、１画像再生モードは表示する画像データの画像の領域全体を液晶モニタ２０５に表示するモードである。拡大再生モードは、後述する縮小ボタン１０２または拡大ボタン１０３の操作に応じて拡大率の変更された、画像データの画像の領域全体のうちの一部の領域を表す拡大再生画像を液晶モニタ２０５に表示するモードである。
【００１６】
メニューボタン１０１に対応するメニュースイッチ１０１ａからの操作信号を入力すると、制御回路２００はカメラの各種動作を設定するためのメニュー画面を液晶モニタ２０５に表示する。液晶モニタ２０５は、液晶パネルおよびバックライト、表示制御部、表示用メモリ（ＶＲＡＭ）等を有する。液晶モニタ２０５には、制御回路２００の指令により画像処理回路２０２等で作成された画像データや、記録媒体２０７に記録された画像ファイルの画像データに対応する表示用画像が再生画像として表示される。
【００１７】
１画像再生モードにおいて画像データの画像全体を表す再生画像を表示中に縮小ボタン１０２が操作され、縮小スイッチ１０２ａから縮小指示信号が出力されると、制御回路２００は再生画像をサムネイル再生表示する。すなわち、制御回路２００は、それぞれの画像のサイズが、たとえば１２０ドット×１６０ドットにリサイズされたサムネイル画像を液晶モニタ２０５に一覧表示する。
【００１８】
拡大再生モードにおいて拡大ボタン１０３の操作により拡大率が変更された拡大再生画像が表示されている際には、縮小ボタン１０２が押下操作され縮小スイッチ１０２ａから縮小指示信号が出力されるたびに、制御回路２００は、表示中の再生画像を所定の縮小率ずつ縮小して液晶モニタ２０５に表示する。反対に、拡大ボタン１０３が押下操作され拡大スイッチ１０３ａから拡大指示信号が出力されるたびに、制御回路２００は、表示中の再生画像を所定の拡大率ずつ拡大して液晶モニタ２０５に表示する。
【００１９】
１画像再生モードにおいては、サブコマンドダイヤル１０４は、再生画像の情報表示パターンを選択する際に操作される。情報表示パターンには、再生画像のハイライト表示、ＲＧＢヒストグラム表示、撮影情報表示等が含まれる。拡大再生モードにおいては、サブコマンドダイヤル１０４が操作され、スイッチ１０４ａから右方向操作信号または左方向操作信号が出力されると、制御回路２００は、後述するように、拡大再生画像の表示中心位置の切り換えを行う。
【００２０】
撮影モードにおいてコマンドダイヤル１０５が操作されると、制御回路２００は、撮像感度や露出モードなどを設定する。また、再生画像表示中においては、コマンドダイヤル１０５の右方向操作に応じてスイッチ１０５ａから出力された右方向操作信号が入力されると、制御回路２００は次画像を液晶モニタ２０５に表示する。スイッチ１０５ａから左方向操作信号が入力されると、制御回路２００は液晶モニタ２０５に前画像を表示する。すなわち、コマンドダイヤル１０５が右方向に操作されると再生画像がコマ送りされ、左方向に操作されると再生画像がコマ戻しされる。
【００２１】
操作部材１０６は、たとえば十字キーなどで構成される。操作部材１０６の操作により、ユーザはメニュー画面上の各種メニューを選択できる。操作部材１０６の操作に応じてスイッチ１０６ａから上方向操作信号、下方向操作信号、右方向操作信号、左方向操作信号が出力される。１画像再生モードにおいては、操作部材１０６の左右方向操作により、コマンドダイヤル１０５と同様に再生画像のコマ送りもしくはコマ戻しを行なうことができる。操作部材１０６が上下方向操作により、サブコマンドダイヤル１０４が操作された場合と同様に、情報表示パターンの選択を行うことができる。また、拡大再生モードにおいては、操作部材１０６の操作により拡大再生画像の中心位置が変位される。
【００２２】
ＯＫボタン１０７の操作に応じてＯＫスイッチ１０７ａから操作信号を入力すると、制御回路２００は、拡大再生モードによる拡大再生画像の表示を終了して、電子カメラ１の動作を１画像再生モードに戻す。プロテクトボタン１０８は、表示中の再生画像の画像データを保護するためのプロテクト処理を行う際に用いられる。削除ボタン１０９は、制御回路２００がプロテクト処理のかけられていない画像データをバッファメモリ２０６および記録媒体２０７から削除するときに用いられる。
【００２３】
次に、画像の再生表示について説明する。上述したように、この実施の形態の電子カメラ１では、再生モードとして、１画像再生モードおよび拡大再生モードが設けられ、いずれか一方の再生モードにより、制御回路２００により画像が再生表示される。１画像再生モードは、制御回路２００により、表示する画像データの画像の領域全体を液晶モニタ２０５に表示するモードである。拡大再生モードは、液晶モニタ２０５上に１画像再生モードにおいて再生表示された画像の表示倍率に対して表示倍率を拡大し、表示する画像データの画像の領域全体のうちの一部の領域、すなわち表示中の画像の拡大率や中心座標を変更された拡大再生画像を表示するモードである。
【００２４】
−１画像再生モード−
再生ボタン１００の操作により設定された１画像再生モードにおいて、制御回路２００は、バッファメモリ２０６もしくは記録媒体２０７に記録された画像ファイルのファイル情報を取得し、その画像ファイルの画像データを読み出す。読み出された画像データは、圧縮／伸張回路２０４により原画像データに伸張されて、必要に応じて液晶モニタ２０５の表示解像度にリサイズされて作成された画像全体を表す再生画像が液晶モニタ２０５に表示される。なお、伸張された原画像データはバッファメモリ２０６に展開される。
【００２５】
−拡大再生モード−
１画像再生モードにて画像データの画像の領域全体を表す再生画像が表示されているときに拡大ボタン１０３が操作された場合に、拡大再生モードが設定される。このとき、制御回路２００は、画像ファイルの付加情報から、抽出された顔領域の中心座標を示す顔位置情報と、焦点調節の演算を行った位置を示す合焦位置情報と、表示中心情報とを読み出す。そして、制御回路２００は、読み出した顔位置情報、合焦位置情報および表示中心情報を拡大位置リストに登録する。
【００２６】
１画像再生モードで再生画像が液晶モニタ２０５に表示されているとき、拡大ボタン１０３が操作されたものとする。このとき、制御回路２００はバッファメモリ２０６に展開されている原画像データに対して、その再生画像の表示中心位置（中心座標）を拡大のための中心（拡大中心位置）として、拡大ボタン１０３の操作により設定された拡大率に応じた領域をトリミングする。そして、制御回路２００は、トリミングした領域を液晶モニタ２０５の表示解像度に合わせてリサイズして拡大画像データを生成する。そして、制御回路２００は、生成した拡大画像データに対応する再生画像（拡大再生画像）を液晶モニタ２０５に表示する。その結果、図４(ａ)に示す中心座標をＸとする再生画像Ｂ１が、中心座標Ｘを拡大中心位置として拡大率が一段引上げられ、図４（ｂ）に示す拡大再生画像Ｂ２が表示される。さらに拡大ボタン１０３が操作されると、制御回路２００は、原画像データの中心座標Ｘを拡大中心位置Ｘとして、拡大率が一段引き上げられた拡大画像データを生成し、拡大再生画像を液晶モニタ２０５に表示する。さらに、制御回路２００は、この時の拡大率と拡大中心位置Ｘの座標とをバッファメモリ２０６に画像データと対応付けて記録する。
【００２７】
拡大再生画像の表示中に縮小ボタン１０２が操作されると、制御回路２００は、原画像データの中心座標Ｘを拡大中心位置とし、拡大率が一段引き下げられた拡大画像データを作成し、液晶モニタ２０５に拡大再生画像として表示する。この場合も、制御回路２００は、この時の拡大率と拡大中心位置Ｘの座標とをバッファメモリ２０６に画像データと対応付けて記録する。
【００２８】
次に、拡大中心位置の変位について説明する。
拡大再生画像が表示されている時に、操作部材１０６の操作により拡大再生画像の中心、すなわち拡大中心位置Ｘが変位されると、制御回路２００は次のようにして拡大画像データを生成する。操作部材１０６が操作され、スイッチ１０６ａから入力した上下左右方向の操作信号に応じて、制御回路２００は、拡大画像データ上のＶ方向とＨ方向に対する拡大中心位置の移動量を算出する。そして、制御回路２００は、算出した移動量と表示中の拡大再生画像の拡大中心位置Ｘの座標とに基づいて、新たに拡大中心位置の座標を算出する。制御回路２００は、バッファメモリ２０６に記録されている原画像データを用いて、上記のようにして算出した座標を変移後の拡大中心位置として現在の拡大率で拡大した拡大画像データを生成する。そして、制御回路２００は、液晶モニタ２０５に拡大中心位置が変位された拡大再生画像を表示する。図４（ｃ）に示す拡大再生画像Ｂ３は、上記のようにして図４（ｂ）の拡大再生画像Ｂ２の拡大中心位置ＸをＹに変位した場合の一例である。この時、制御回路２００は、更新後の拡大中心位置Ｙの座標を拡大率とともにバッファメモリ２０６に画像データと対応付けて記録する。
【００２９】
以後、縮小ボタン１０２または拡大ボタン１０３の操作により、拡大再生画像が縮小もしくは拡大される場合には、更新された拡大中心位置Ｙを中心として表示される画像データの拡大率が変更される。そして、制御回路２００は、拡大率もしくは拡大中心位置が更新されるごとに、画像データの拡大率と拡大中心位置の座標とを画像データに対応付けてバッファメモリ２０６に記録する。
【００３０】
拡大再生モードで拡大再生画像が表示されている場合に、縮小ボタン１０２、拡大ボタン１０３による縮小、拡大操作、または操作部材１０６による液晶モニタ２０５上の再生画像に対する上下左右方向への移動操作が行われると、制御回路２００はナビ画面３００を表示する。さらに、後述するようにサブコマンドダイヤル１０４が左右方向へ操作された場合にも、ナビ画面３００が表示される。図４（ｂ）、（ｃ）に示すように、ナビ画面３００は再生画像の全体を表す縮小画像であり、液晶モニタ２０５の所定の小領域に、拡大表示中の再生画像に半透過もしくは透過状態で重畳して表示される。ナビ画面３００内の枠３０１は、拡大表示中の再生画像が、再生画像全体に対して占有する位置を示すものである。なお、ナビ画面３００は縮小ボタン１０２、拡大ボタン１０３および操作部材１０６の操作後、所定時間、たとえば２秒間だけ表示される。
【００３１】
次に、拡大中心位置の切り換えについて説明する。
拡大再生モードにおいて、拡大再生画像が液晶モニタ２０５に表示されているときに、サブコマンドダイヤル１０４が操作されると、制御回路２００は、拡大中心位置の切り換えのための制御を行う。制御回路２００が、サブコマンドダイヤル１０４の操作に応じてスイッチ１０４ａから右方向操作信号、もしくは左方向操作信号を入力すると、拡大位置リストに登録された顔位置情報、合焦位置情報および表示中心情報を参照する。そして、制御回路２００は、顔位置座標、合焦位置座標および原画像データの中心座標のうち、液晶モニタ２０５に表示中の拡大再生画像の拡大中心位置に最も近い座標を拡大中心位置として新たな拡大再生画像データを生成し、拡大再生画像を表示する。
【００３２】
図４（ｃ）に示す拡大中心位置をＹとする拡大再生画像Ｂ３の拡大中心位置が変位される場合について説明する。なお、図４（ｄ）に示すように、原画像データ上において、拡大位置リストに登録された顔位置情報が示す顔位置座標をＸＦ１〜ＸＦ４とし、合焦位置情報が示す合焦位置座標をＸＡとして説明する。また、原画像データの中心座標は上述したようにＸである。図４（ｃ）に示す拡大再生画像Ｂ３が表示されている場合に、サブコマンドダイヤル１０４が左方向に操作されたとする。このとき、制御回路２００は、拡大位置リストを参照し、拡大中心位置Ｙの左方向に位置し、拡大中心位置Ｘに最も近い顔位置座標ＸＦ２を選択する。その後、縮小ボタン１０２または拡大ボタン１０３の操作により、拡大再生画像Ｂ３が縮小もしくは拡大されると、制御回路２００は、顔位置座標ＸＦ２を拡大中心位置として拡大率を変更した拡大画像データを生成する。その結果、図４（ｅ）に示すように、拡大率が変更され、拡大中心位置Ｙの座標が顔位置座標ＸＦ２に切り換えられた拡大再生画像Ｂ４と、ナビ画面３００とが液晶モニタ２０５に表示される。なお、図４（ｅ）の拡大再生画像Ｂ４は、図４（ｃ）の拡大再生画像Ｂ３の拡大率が一段引上げられた場合を示している。このとき、制御回路２００は、上述したように、拡大率と拡大中心位置の顔位置座標ＸＦ２とをバッファメモリ２０６に記録する。
【００３３】
以後、サブコマンドダイヤル１０４が左方向へ操作されるごとに、制御回路２００は、座標ＸＦ１→ＸＦ４→ＸＦ３→ＸＡ→Ｘ→ＸＦ２の順序で拡大中心位置を選択する。また、サブコマンドダイヤル１０４が右方向へ操作されるごとに、制御回路２００は、座標Ｘ→ＸＦ３→ＸＡ→ＸＦ４→ＸＦ１→ＸＦ２の順序で拡大中心位置を選択する。すなわち、サブコマンドダイヤル１０４が左方向へ操作されると、制御回路２００は、図４（ｆ）の矢印で示す順序で拡大中心位置を選択し、サブコマンドダイヤル１０４が右方向へ操作されると、破線矢印で示す順序で拡大中心位置を選択する。なお、異なる中心座標において、Ｈ座標が等しい場合はＶ座標の小さいものが選択され、Ｖ座標が等しい場合はＨ座標の小さいものが選択される。なお、上述したように、拡大中心位置が切り換えられた後に、操作部材１０６が操作された場合、制御回路２００は、操作部材１０６の操作に応じて拡大再生画像の中心、すなわち拡大中心位置を変位する。
【００３４】
図４（ｇ）は、図４（ｅ）で示したナビ画面３００を拡大した図である。ナビ画面３００においては、顔位置座標ＸＦ１〜ＸＦ４、合焦位置座標ＸＡ、および中心座標Ｘを表す指標Ｓ１〜Ｓ７が、ナビ画面３００上においてそれぞれの座標に対応する位置に表示される。制御回路２００は、選択した顔位置座標ＸＦ２に対応する指標Ｓ２を、たとえば赤色表示し、選択されていない顔位置座標ＸＦ１、ＸＦ３、ＸＦ４に対応する指標Ｓ１、Ｓ４、Ｓ６を、たとえば緑色表示する。また、制御回路２００は、合焦位置座標ＸＡに対応する指標Ｓ５を、たとえば黄色表示し、画像の中心座標Ｘに対応する指標Ｓ３を、たとえば橙色表示する。その結果、ユーザは、いずれの座標が選択されているかを把握できる。
【００３５】
上述したように、拡大再生モードにおいて、再生画像の拡大中心位置が変位もしくは切り換えられた状態で、縮小ボタン１０２の操作により拡大率が１倍、すなわち１画像再生モードに戻った場合は、制御回路２００は、拡大中心位置を保持したまま拡大位置フラグを設定する。拡大位置フラグが設定されている状態で拡大ボタン１０３が操作されると、バッファメモリ２０６に記録されている拡大中心位置を中心として原画像データの拡大率が変更される。すなわち、図４（ｃ）の拡大再生画像Ｂ３から再生画像Ｂ１に戻った状態で拡大ボタン１０３が操作されると、拡大再生画像Ｂ３が液晶モニタ２０５に表示される。また、図４（ｅ）の拡大再生画像Ｂ４から再生画像Ｂ１に戻った状態で拡大ボタン１０３が操作されると、拡大再生画像Ｂ４が液晶モニタ２０５に表示される。なお、拡大位置フラグは、ＯＫボタン１０７の操作により拡大再生モードから１画像再生モードに切り換わった場合、もしくは１画像再生モードにおいてコマンドダイヤル１０５や操作部材１０６によりコマ送りまたはコマ戻しされない限り保持される。
【００３６】
次に、図５〜図７に示すフローチャートを用いて、実施の形態よるカメラの再生画像表示の動作における各処理について説明する。なお、このフローチャートに示す各処理は、制御回路２００によりプログラムを実行して行われる。また、このフローチャートは再生スイッチ１００ａから操作信号が入力されると開始される。
【００３７】
ステップＳ１０１において、画像ファイルのファイル情報を取得してステップＳ１０２へ進む。ステップＳ１０２においては、ステップＳ１０１で取得した画像ファイルの画像データをバッファメモリ２０６または記録媒体２０７から読み出してステップＳ１０３へ進む。
【００３８】
ステップＳ１０３において、圧縮／伸張回路２０４により、ステップＳ１０２で読み出した画像データを原画像データに伸張し、バッファメモリ２０６に展開してステップＳ１０４へ進む。ステップＳ１０４では、選択されている情報表示パターンを確認してステップＳ１０５へ進む。
【００３９】
ステップＳ１０５では、ステップＳ１０３で伸張された画像データに対応する再生画像を液晶モニタ２０５に表示してステップＳ１０６へ進む。ステップＳ１０６において、再生ボタン１００が操作されたか否かを判定する。再生スイッチ１００ａから操作信号を入力した場合は、ステップＳ１０６が肯定判定されてステップＳ１０７へ進む。ステップＳ１０７では、１画像再生モードを終了し、さらに液晶モニタ２０５をオフして一連の処理を終了する。再生スイッチ１００ａから操作信号を入力しない場合は、ステップＳ１０６が否定判定されてステップＳ１０８へ進む。
【００４０】
ステップＳ１０８においては、メニューボタン１０１が操作されたか否かを判定する。メニュースイッチ１０１ａから操作信号を入力した場合は、ステップＳ１０８が肯定判定されてステップＳ１０９へ進む。ステップＳ１０９においては、１画像再生モードを終了するとともに、液晶モニタ２０５に各種設定を行なうためのメニュー画面を表示して一連の処理を終了する。メニュースイッチ１０１ａから操作信号を入力しない場合は、ステップＳ１０８が否定判定されてステップＳ１１０へ進む。
【００４１】
ステップＳ１１０においては、拡大ボタン１０３が操作されたか否かを判定する。拡大スイッチ１０３ａから拡大指示信号を入力した場合は、ステップＳ１１０が肯定判定されてステップＳ１１１へ進む。ステップＳ１１１においては、後述の拡大再生のサブルーチンを呼び出し、拡大再生処理を行う。拡大スイッチ１０３ａから拡大指示信号を入力しない場合は、ステップＳ１１０が否定判定されてステップＳ１１２へ進む。
【００４２】
ステップＳ１１２では、縮小ボタン１０２が操作されたか否かを判定する。縮小スイッチ１０２ａから縮小指示信号を入力した場合は、ステップＳ１１２が肯定判定されてステップＳ１１３へ進む。ステップＳ１１３においては、液晶モニタ２０５に再生画像をサムネイル表示する。縮小スイッチ１０２ａから縮小指示信号を入力しない場合は、ステップＳ１１２が否定判定されてステップＳ１１４へ進む。
【００４３】
ステップＳ１１４では、削除ボタン１０９が操作されたか否かを判定する。削除スイッチ１０９ａから操作信号を入力した場合は、ステップＳ１１４が肯定判定されてステップＳ１１５へ進み、表示中の再生画像の画像データをバッファメモリ２０６もしくは記録媒体２０７から削除するための処理を行なう。削除スイッチ１０９ａから操作信号を入力しない場合は、ステップＳ１１４が否定判定されてステップＳ１１６へ進む。
【００４４】
ステップＳ１１６においては、プロテクトボタン１０８が操作されたか否かを判定する。プロテクトスイッチ１０８ａから操作信号を入力した場合は、ステップＳ１１６が肯定判定されてステップＳ１１７へ進み、表示中の再生画像の画像データを保護するためのプロテクト処理を行う。プロテクトスイッチ１０８ａから操作信号を入力しない場合は、ステップＳ１１６が否定判定されてステップＳ１１８へ進む。
【００４５】
ステップＳ１１８においては、コマンドダイヤル１０５の右方向操作もしくは操作部材１０６の右ボタンが操作されたか否かを判定する。スイッチ１０５ａもしくはスイッチ１０６ａから右方向操作信号を入力した場合は、ステップＳ１１８が肯定判定されてステップＳ１１９へ進む。ステップＳ１１９では、液晶モニタ２０５に表示中の再生画像の次コマの画像ファイルの情報を取得してステップＳ１２２へ進む。スイッチ１０５ａもしくはスイッチ１０６ａから右方向操作信号を入力しない場合は、ステップＳ１１８が否定判定されてステップＳ１２０へ進む。
【００４６】
ステップＳ１２０においては、コマンドダイヤル１０５の左方向操作もしくは操作部材１０６の左ボタンが操作されたか否かを判定する。スイッチ１０５ａもしくはスイッチ１０６ａから左方向操作信号を入力した場合は、ステップＳ１２０が肯定判定されてステップＳ１２１へ進む。
【００４７】
ステップＳ１２１では、液晶モニタ２０５に表示中の再生画像の前コマの画像ファイルの情報を取得してステップＳ１２２へ進む。ステップＳ１２２では、現在表示中の再生画像に対応する画像データに対して、拡大位置フラグｉが１に設定されているか否かを判定する。拡大位置フラグｉが１の場合は、ステップＳ１２２が肯定判定されてステップＳ１２３へ進み、拡大位置フラグｉを０にリセットしてステップＳ１０２へ戻る。拡大位置フラグｉが０の場合は、ステップＳ１２２が否定判定されてステップＳ１０２へ戻る。
【００４８】
スイッチ１０５ａもしくはスイッチ１０６ａから左方向操作信号を入力しない場合は、ステップＳ１２０が否定判定されてステップＳ１２４へ進む。ステップＳ１２４では、サブコマンドダイヤル１０４の操作もしくは操作部材１０６の上下方向操作が行われたか否かを判定する。スイッチ１０４ａからの操作信号もしくはスイッチ１０６ａからの上方向操作信号または下方向操作信号を入力した場合は、ステップＳ１２４が肯定判定されてステップＳ１２５へ進む。ステップＳ１２５においては、情報表示パターンの設定を切り換えてステップＳ１０４へ戻る。スイッチ１０４ａからの操作信号もしくはスイッチ１０６ａからの上方向操作信号または下方向操作信号を入力しない場合は、ステップＳ１２４が否定判定されてステップＳ１０４へ戻る。
【００４９】
図５のステップＳ１１１における拡大再生のサブルーチンについて、図６に示すフローチャートを用いて説明する。
ステップＳ２０１において、付加情報部に顔位置情報が記録されているか否かを判定する。顔位置情報が記録されている場合、ステップＳ２０１が肯定判定されてステップＳ２０２へ進む。ステップＳ２０２では、顔位置情報を読み出して拡大位置リストに登録してステップＳ２０３へ進む。顔位置情報が付加情報部に記録されていない場合、ステップＳ２０１が否定判定されてステップＳ２０３へ進む。
【００５０】
ステップＳ２０３においては、画像ファイルの付加情報から合焦位置情報および表示中心情報を読み出し、拡大位置リストに登録してステップＳ２０４へ進む。ステップＳ２０４においては、拡大位置フラグｉが１であるか否かを判定する。拡大位置フラグｉが１の場合は、ステップＳ２０４が肯定判定されてステップＳ２０５へ進む。拡大位置フラグｉが０の場合は、ステップＳ２０４が否定判定されてステップＳ２０６へ進む。
【００５１】
ステップＳ２０５において、拡大再生画像データの拡大中心位置を保持したまま、拡大率を初期化してステップＳ２０７へ進む。ステップＳ２０６においては、再生用画像データの拡大率を初期化し、原画像データの中心座標Ｘを拡大中心位置としてステップＳ２０７へ進む。ステップＳ２０７では、バッファメモリ２０６に記録されている拡大中心位置もしくはステップＳ２０６において初期化された拡大中心位置、すなわち原画像データの中心座標Ｘを中心として拡大率を一段引上げた拡大再生画像を液晶モニタ２０５に表示してステップＳ２０８へ進む。
【００５２】
ステップＳ２０８においては、後述するように、液晶モニタ２０８の所定の小範囲に、ナビ画面３００を再生画像に重畳表示してステップＳ２０９へ進む。ステップＳ２０９（再生ボタン操作判定）においては、ステップＳ１０６（再生ボタン操作判定）と同様の判定処理を行う。ステップＳ２０９が肯定判定されるとステップＳ２１０へ進み、拡大位置フラグｉを０に設定してステップＳ２１２へ進む。ステップＳ２１２では、ステップＳ１０７と同様に再生モードを終了し、液晶モニタ２０５をオフして処理を終了する。
【００５３】
ステップＳ２０９が否定判定されるとステップＳ２１１へ進み、ステップＳ１０８と同様にメニューボタン１０１の操作の有無を判定する。メニューボタン１０１が操作された場合は、ステップＳ２１１が肯定判定されてステップＳ２１３へ進む。ステップＳ２１３では、ステップＳ２１０と同様に拡大位置フラグｉを０に設定してステップＳ２１４へ進む。ステップＳ２１４では、ステップＳ１０９と同様に再生モードを終了し、液晶モニタ２０５にメニュー画面を表示させて処理を終了する。メニューボタン１１２が操作されない場合は、ステップＳ２１１が否定判定されてステップＳ２１５へ進む。
【００５４】
ステップＳ２１５において、拡大ボタン１０３が操作されたか否かを判定する。拡大スイッチ１０３ａから拡大指示信号を入力した場合は、ステップＳ２１５が肯定判定されてステップＳ２１６へ進む。ステップＳ２１６では、拡大再生画像データの拡大率を一段引き上げてステップＳ２２２へ進む。拡大スイッチ１０３ａから拡大指示信号を入力しない場合は、ステップＳ２１５が否定判定されてステップＳ２１７へ進む。
【００５５】
ステップＳ２１７においては、縮小ボタン１０２が操作されたか否かを判定する。縮小スイッチ１０２ａから縮小指示信号を入力した場合は、ステップＳ２１７が肯定判定されてステップＳ２１８へ進む。縮小スイッチ１０２ａから縮小指示信号を入力しない場合は、ステップＳ２１７が否定判定されてステップＳ２１９へ進む。
【００５６】
ステップＳ２１８では、バッファメモリ２０６に記録された拡大率を参照して、表示用画像の倍率が等倍、すなわち１画像再生か否かを判定する。等倍の場合はステップＳ２１８が肯定判定されてステップＳ２２０へ進む。等倍ではない場合は、ステップＳ２１８が否定判定されてステップＳ２２１へ進む。
【００５７】
ステップＳ２２０においては、拡大再生画像データに対して拡大位置フラグｉを１に設定して、図５のステップＳ１０５へ戻る。ステップＳ２２１では、拡大再生画像データの拡大率を一段引き下げてステップＳ２２２へ進む。ステップＳ２２２では、拡大再生画像データの拡大率をバッファメモリ２０６に記録してステップＳ２０７へ戻る。
【００５８】
ステップＳ２１９においては、ＯＫボタン１０７が操作されたか否かを判定する。ＯＫスイッチ１０７ａから操作信号を入力した場合は、ステップＳ２１９が肯定判定されてステップＳ２２３へ進む。ステップＳ２２３では、拡大再生画像データに対する拡大位置フラグｉを０に設定して、図５のステップＳ１０５に戻る。ＯＫスイッチ１０７ａから操作信号を入力しない場合は、ステップＳ２１９が否定判定されてステップＳ２２４へ進む。
【００５９】
ステップＳ２２４では、ステップＳ１１４と同様に削除ボタン１０９の操作の有無を判定する。削除ボタン１０９が操作された場合は、ステップＳ２２４が肯定判定されてステップＳ２２５へ進む。ステップＳ２２５では拡大位置フラグｉを０に設定してステップＳ２２６へ進み、ステップＳ１１５と同様に削除処理を行う。削除ボタン１０９が操作されない場合は、ステップＳ２２４が否定判定されてステップＳ２２７へ進む。ステップＳ２２７（プロテクトボタン操作判定）およびステップＳ２２８（画像プロテクト処理）の各処理は、ステップＳ１１６（プロテクトボタン操作判定）およびステップＳ１１７（画像プロテクト処理）の各処理と同様の処理を行う。ステップＳ２２９においては、操作部材１０６が操作されたか否かを判定する。スイッチ１０６ａから操作信号を入力した場合は、ステップＳ２２９が肯定判定されてステップＳ２３０へ進む。スイッチ１０６ａから操作信号を入力しない場合は、ステップＳ２２９が否定判定されてステップＳ２３１へ進む。
【００６０】
ステップＳ２３０では、操作部材１０６の操作方向に応じて拡大再生画像データの拡大中心位置を移動してステップＳ２３２へ進む。ステップＳ２３２においては、ステップＳ２３０で移動した拡大中心位置をバッファメモリ２０６に記録してステップＳ２０７へ戻る。
【００６１】
ステップＳ２３１では、コマンドダイヤル１０５が右方向へ操作されたか否かを判定する。スイッチ１０５ａから右方向操作信号を入力した場合は、ステップＳ２３１が肯定判定されてステップＳ２３３へ進み、液晶モニタ２０５に表示中の再生画像の次コマの画像ファイルの情報を取得してステップＳ２０１へ戻る。スイッチ１０５ａから右方向操作信号を入力しない場合は、ステップＳ２３１が否定判定されてステップＳ２３４へ進む。
【００６２】
ステップＳ２３４においては、コマンドダイヤル１０５が左方向へ操作されたか否かを判定する。スイッチ１０５ａから左方向操作信号を入力した場合は、ステップＳ２３４が肯定判定されてステップＳ２３５へ進み、液晶モニタ２０５に表示中の再生画像の前コマの画像ファイルの情報を取得してステップＳ２０１へ戻る。スイッチ１０５ａから左方向操作信号を入力しない場合は、ステップＳ２３４が否定判定されてステップＳ２３６へ進む。
【００６３】
ステップＳ２３６においては、サブコマンドダイヤル１０４が操作されたか否かを判定する。スイッチ１０４ａから操作信号を入力した場合は、ステップＳ２３６が肯定判定されてステップＳ２３７へ進む。ステップＳ２３７においては、上述したように、拡大位置リストに記録された顔位置情報もしくは合焦位置情報を参照して、サブコマンドダイヤル１０４の操作方向に応じて拡大中心位置を切り換えてステップＳ２３８へ進む。ステップＳ２３８においては、ステップＳ２３７で切り換えた拡大中心位置をバッファメモリ２０６に記録してステップＳ２０７へ戻る。スイッチ１０４ａから操作信号を入力しない場合には、ステップＳ２３６が否定判定されてステップＳ２０１へ戻る。
【００６４】
図６のステップＳ２０８におけるナビ表示のサブルーチンについて、図７に示すフローチャートを用いて説明する。
ステップＳ３０１においては、図示しないタイマを起動してステップＳ３０２へ進む。ステップＳ３０２においては、ステップＳ１０６と同様にして再生ボタン１００の操作の有無を判定する。再生ボタン１００が操作された場合は、ステップＳ３０２が肯定判定されてナビ表示の処理を終了する。再生ボタン１００が操作されない場合は、ステップＳ３０２が否定判定されてステップＳ３０３へ進む。ステップＳ３０３においては、ステップＳ１０８と同様にメニューボタン１０１の操作の有無を判定する。メニューボタン１０１が操作された場合は、ステップＳ３０３が肯定判定されて、ナビ表示処理を終了する。メニューボタン１０１が操作されない場合は、ステップＳ３０３が否定判定されてステップＳ３０４へ進む。
【００６５】
ステップＳ３０４においては、ステップＳ１１０と同様に拡大ボタン１０３の操作の有無を判定する。拡大ボタン１０３が操作された場合は、ステップＳ３０４が肯定判定されてステップＳ３０５へ進む。ステップＳ３０５においては、拡大再生画像の拡大率の変更に応じて枠３０１の表示を変更、すなわち枠３０１で囲まれる領域が小さくなるように変更してステップＳ３０１へ戻る。拡大ボタン１０３が操作されない場合は、ステップＳ３０４が否定判定されてステップＳ３０６へ進む。
【００６６】
ステップＳ３０６においては、ステップＳ１１２と同様に縮小ボタン１０２の操作の有無を判定する。縮小ボタン１０２が操作された場合は、ステップＳ３０６が肯定判定されてステップＳ３０７へ進む。ステップＳ３０７においては、ステップＳ２１８と同様にして再生画像が等倍か否かを判定する。再生画像が等倍の場合は、ステップＳ３０７が肯定判定されてナビ表示処理を終了する。再生画像が等倍ではない場合は、ステップＳ３０７が否定判定されてステップＳ３０８へ進む。ステップＳ３０８においては、拡大再生画像の拡大率の変更に応じて枠３０１の表示を変更、すなわち枠３０１で囲まれる領域が大きくなるように変更してステップＳ３０１へ戻る。
【００６７】
縮小ボタン１０２が操作されない場合は、ステップＳ３０６が否定判定されてステップＳ３０９へ進む。ステップＳ３０９においては、ステップＳ２１９と同様にしてＯＫボタン１０７が操作されたか否かを判定する。ＯＫボタン１０７が操作された場合、ステップＳ３０９が肯定判定されてナビ表示処理を終了する。ＯＫボタン１０７が操作されない場合は、ステップＳ３０９が否定判定されてステップＳ３１０へ進む。
【００６８】
ステップＳ３１０においては、ステップＳ１１４と同様に削除ボタン１０９が操作されたか否かを判定する。削除ボタン１０９が操作された場合は、ステップＳ３１０が肯定判定されてナビ表示処理を終了する。削除ボタン１０９が操作されない場合は、ステップＳ３１０が否定判定されてステップＳ３１１へ進む。
【００６９】
ステップＳ３１１においては、ステップＳ１１６と同様にプロテクトボタン１０８が操作されたか否かを判定する。プロテクトボタン１０８が操作された場合は、ステップＳ３１０が肯定判定されて、ナビ表示処理を終了する。プロテクトボタン１０８が操作されない場合は、ステップＳ３１１が否定判定されてステップＳ３１２へ進む。
【００７０】
ステップＳ３１２においては、ステップＳ２２９と同様に操作部材１０６が操作されたか否かを判定する。操作部材１０６が操作された場合は、ステップＳ３１２が肯定判定されてステップＳ３１３へ進む。ステップＳ３１３においては、操作部材１０６の操作に応じて枠３０１の表示位置を変更してステップＳ３０１へ戻る。操作部材１０６が操作されない場合は、ステップＳ３１２が否定判定されてステップＳ３１４へ進む。
【００７１】
ステップＳ３１４においては、ステップＳ２３１もしくはステップＳ２３４と同様にしてコマンドダイヤル１０５が操作されたか否かを判定する。コマンドダイヤル１０５が操作された場合は、ステップＳ３１４が肯定判定されてナビ表示処理を終了する。コマンドダイヤル１０５が操作されない場合は、ステップＳ３１５が否定判定されてステップＳ３１５へ進む。
【００７２】
ステップＳ３１５においては、ステップＳ２３６と同様に、サブコマンドダイヤル１０４の操作の有無を判定する。サブコマンドダイヤル１０４が操作された場合は、ステップＳ３１５が肯定判定されてステップＳ３１６へ進む。ステップＳ３１６においては、顔位置座標、合焦位置座標、および中心座標を表す指標を、ナビ画面３００上のそれぞれの座標に対応する位置に表示してステップＳ３０１へ戻る。サブコマンドダイヤル１０４が操作されない場合は、ステップＳ３１５が否定判定されてステップＳ３１７へ進む。
【００７３】
ステップＳ３１７においては、ステップＳ３０１でタイマを起動してから所定時間である２秒が経過したか否かを判定する。２秒が経過した場合は、ステップＳ３１７が肯定判定されてナビ画面３０１の表示を終了する。２秒が経過していない場合は、ステップＳ３１７が否定判定されてステップＳ３０２へ戻る。
【００７４】
以上で説明した実施の形態における電子カメラによれば、以下の作用効果が得られる。
（１）拡大再生モードにおいて、制御回路２００は、サブコマンドダイヤル１０４の操作に応じて複数の座標の中から選択した１つを拡大中心位置として拡大再生画像を液晶モニタ２０５に表示させる。さらに、制御回路２００は、操作部材１０６の操作に応じて拡大再生画像の拡大中心位置を変位させるようにした。したがって、サブコマンドダイヤル１０４もしくは操作部材１０６を操作することにより、拡大再生画像の拡大中心位置をユーザが所望する位置へ容易に切り換え、もしくは変位できるので、再生画像を表示している際の操作性を向上できる。特に、サブコマンドダイヤル１０４を操作して拡大再生画像の拡大中心位置を大まかに選択し、操作部材１０６を操作しながら拡大中心位置を変位させて表示位置を微調整する際に好適である。
【００７５】
（２）制御回路２００は、再生画像上における抽出された顔領域の位置を示す顔領域位置情報と、再生画像について焦点調節が行われた位置を示す合焦位置情報と、再生画像の中心座標を示す表示中心情報とを読み出す。そして、制御回路２００は、顔位置情報、合焦位置情報および表示中心情報に基づいて拡大中心位置を切り換えて選択するようにした。したがって、人物の顔や合焦位置のように、ユーザが再生画像を拡大する際に中心位置として選択する可能性が高い位置が拡大中心位置として選択されるので、拡大中心位置の変位操作における煩雑さを低減できる。
【００７６】
（３）制御回路２００は、サブコマンドダイヤル１０４からの操作を受け付けるごとに、図４（ｆ）に示すように拡大中心位置を所定の順序で切り換えて選択するようにした。したがって、ユーザはサブコマンドダイヤル１０４をどのように操作すれば所望の位置を拡大中心位置として選択できるかを判断できるので、利便性が向上する。
【００７７】
（４）制御回路２００は、拡大再生画像に重畳して、再生画像の全体をナビ画面３００として縮小表示し、ナビ画面３００上において、顔位置情報、合焦位置情報および中心座標に対応する位置に指標を表示するようにした。したがって、ユーザは、拡大中心位置として選択可能な位置を視認し、拡大中心位置の選択をする際に容易に判断できるので、利便性が向上する。
【００７８】
（５）制御回路２００は、サブコマンドダイヤル１０４の操作により選択された拡大中心位置に対応する指標と、非選択の各座標に対応する指標とを異なる色で表示するようにした。したがって、ユーザは、選択されている拡大中心位置と非選択の座標との位置関係を容易に把握し、所望の拡大中心位置とは異なる方向にサブコマンドダイヤル１０４を誤操作するという事態を防げるので、操作性が向上する。
【００７９】
以上で説明した実施の形態の電子カメラを、以下のように変形できる。
（１）ナビ画面３００上で、選択された指標と非選択の指標とで色を異ならせて表示するものに限定されず、選択された指標と非選択の指標との表示形態を異ならせるものでもよい。この場合、たとえば、制御回路２００は、ナビ画面３００上で選択された指標を丸で表示し、非選択の指標を矩形で表示してもよい。
【００８０】
（２）画像ファイルの付加情報から顔位置情報を読み出すものに代えて、制御回路２００が、バッファメモリ２０６または記録媒体２０７から画像ファイルを読み出すごとに画像ファイルの画像データに対して顔検出処理を施してもよい。この場合、制御回路２００は、画像データから検出した顔領域の中央位置を顔位置座標として設定すればよい。
【００８１】
（３）サブコマンドダイヤル１０４が１回操作されるごとに制御回路２００が複数の座標の中から拡大中心位置を選択するものに代えて、一旦サブコマンドダイヤル１０４が操作されたら、制御回路２００が複数の座標を所定時間ごとに切り換えて選択するようにしてもよい。
【００８２】
（４）制御回路２００が、付加情報に含まれる顔位置情報、合焦位置情報および表示中心情報に基づいて拡大中心位置を選択するものに代えて、顔位置情報、合焦位置情報および表示中心情報の少なくとも一つに基づいて拡大中心位置を選択するものであってもよい。
【００８３】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００８４】
【図１】本発明の実施の形態による電子カメラの外観図
【図２】実施の形態による電子カメラの要部構成部
【図３】実施の形態による電子カメラの制御系のブロック図
【図４】液晶モニタの表示例を説明する図
【図５】実施の形態による電子カメラの再生処理を説明するフローチャート
【図６】実施の形態による電子カメラの再生処理を説明するフローチャート
【図７】実施の形態による電子カメラの再生処理を説明するフローチャート
【符号の説明】
【００８５】
２０・・・撮像素子  ２００・・・制御回路  ２０５・・・液晶モニタ  ３００・・・ナビ画面
【図１】
2010056622.tif 000003
【図２】
2010056622.tif 000004
【図３】
2010056622.tif 000005
【図４】
2010056622.tif 000006
【図５】
2010056622.tif 000007
【図６】
2010056622.tif 000008
【図７】
2010056622.tif 000009